(57)【要約】【課題】排熱回収ボイラへの給水温度を効率よく制御し、発電コストを削減する給水制御装置及び方法を提供すること。【解決手段】給水制御装置１０は、排熱回収ボイラ５００内に配管されている給水管のうち排ガスが流出する出口７０１付近の給水管７０２の周囲に配置された排ガス圧力センサ３０１によって排ガス圧力を測定し、給水管７０２の周囲に配置された排ガス湿度センサ３０２によって排ガス湿度を測定する。次に、低圧節炭器５０６に供給される給水管６０１に給水温度調節弁３０４によって戻された高温水が合流された後に配置された給水温度センサ３０３によって給水温度を測定する。そして、給水制御装置１０は、測定した排ガス圧力と、測定した排ガス湿度とから排ガス中の水蒸気圧を算出し、算出した水蒸気圧から露点温度を算出し、算出した露点温度と、測定した給水温度との差に基づいて給水温度調節弁３０４の開度を制御する。【選択図】図１
2011237151.tif 000002
【特許請求の範囲】
【請求項１】
ガスタービンから流入された排ガスを利用して蒸気を発生させる、節炭器を有する排熱回収ボイラにおいて、当該排熱回収ボイラに供給される給水の温度を制御する給水制御装置であって、
前記排熱回収ボイラ内に配管されている給水管のうち前記排ガスが流出する出口付近の給水管の周囲に配置された圧力センサから、前記排ガスの圧力データを受信し、排ガス圧力を測定する排ガス圧力測定手段と、
前記出口付近の給水管の周囲に配置された湿度センサから、前記排ガスの湿度データを受信し、排ガス湿度を測定する排ガス湿度測定手段と、
前記節炭器に供給される給水管に給水温度調節弁によって戻された高温水が合流された後に配置された温度センサから、前記給水の温度データを受信し、給水温度を測定する給水温度測定手段と、
前記排ガス圧力測定手段によって測定された前記排ガス圧力と、前記排ガス湿度測定手段によって測定された前記排ガス湿度とから前記排ガス中の水蒸気圧を算出する水蒸気圧算出手段と、
前記水蒸気圧算出手段によって算出された前記水蒸気圧から露点温度を算出する露点温度算出手段と、
前記露点温度算出手段によって算出された前記露点温度と、前記給水温度測定手段によって測定された前記給水温度との差を算出し、算出した差に基づいて前記給水温度調節弁の制御量を算出する制御量算出手段と、
前記制御量算出手段によって算出された制御量に基づいて、前記給水温度調節弁の開度を制御する制御手段と、
を備える給水制御装置。
【請求項２】
前記排ガス圧力測定手段及び前記排ガス湿度測定手段は、複数の前記圧力センサ及び前記湿度センサによって送信された各々の排ガス圧力データ及び排ガス湿度データから前記給水温度調節弁の制御に用いる排ガス圧力及び排ガス湿度を算出する請求項１に記載の給水制御装置。
【請求項３】
ガスタービンから流入された排ガスを利用して蒸気を発生させる、節炭器を有する排熱回収ボイラにおいて、当該排熱回収ボイラに供給される給水の温度を制御する給水制御装置が実行する方法であって、
前記排熱回収ボイラ内に配管されている給水管のうち前記排ガスが流出する出口付近の給水管の周囲に配置された圧力センサから、前記排ガスの圧力データを受信し、排ガス圧力を測定するステップと、
前記出口付近の給水管の周囲に配置された湿度センサから、前記排ガスの湿度データを受信し、排ガス湿度を測定するステップと、
前記節炭器に供給される給水管に給水温度調節弁によって戻された高温水が合流された後に配置された温度センサから、前記給水の温度データを受信し、給水温度を測定するステップと、
測定された前記排ガス圧力と、測定された前記排ガス湿度とから前記排ガス中の水蒸気圧を算出するステップと、
算出された前記水蒸気圧から露点温度を算出するステップと、
算出された前記露点温度と、測定された前記給水温度との差を算出し、算出した差に基づいて前記給水温度調節弁の制御量を算出するステップと、
算出された制御量に基づいて、前記給水温度調節弁の開度を制御するステップと、
を備える方法。
【発明の詳細な説明】
【技術分野】
【０００１】
本発明は、発電設備における給水温度を制御する給水制御装置及び方法に関する。
【背景技術】
【０００２】
従来、ガスタービンと蒸気タービンとを組合せたコンバインド発電設備は、ガスタービンを駆動した後の排ガスを利用して蒸気タービンによって蒸気を発生させている。ここで、図５によって従来のコンバインド発電設備における排ガスの利用について説明する。
【０００３】
図５は、従来のコンバインド発電設備の概略系統図である。図５において、空気入口４０５から吸込まれた空気は圧縮され、燃料４０４と共に燃焼室４１５、４１６に送られる。送られた圧縮された空気は、燃焼室４１５、４１６で燃料と反応し、その結果、高温のガスが発生する。発生した高温のガスは、ガスタービン４１４を介して、発電機４１３を駆動させ、ガスタービン４１４を駆動させた後の排ガスは、排ガスダクト４１７によって排熱回収ボイラ５００に導かれる。この導かれた排ガスは、まだ５００℃以上の高温である。排熱回収ボイラ５００は、加熱器５０１（ＳＨ）と、高圧蒸発器前５０２（ＨＰ前）と、高圧蒸発器後５０３（ＨＰ後）と、高圧節炭器５０４（ＨＰＥＣＯ）と、低圧蒸発器５０５（ＬＰ）と、低圧節炭器５０６（ＬＰＥＣＯ）とから構成され、排ガスで蒸気を発生する。排熱回収ボイラ５００に流入した排ガスは、加熱器５０１（ＳＨ）から低圧節炭器５０６（ＬＰＥＣＯ）迄で順次熱交換して温度を下げられ、１００℃前後の温度で出口７０１から流出される。また、排熱回収ボイラ５００において発生した蒸気は、蒸気タービン４１２に送られ、発電機４１３を駆動させた後、復水器４１８で復水となり、復水ポンプ４１９で再び排熱回収ボイラ５００に送水される。
【０００４】
排熱回収ボイラ５００に送水される給水温度は、３０℃程度である。このような低温の給水が排熱回収ボイラ５００に送水されると、低圧節炭器５０６（ＬＰＥＣＯ）の入口配管及び低圧節炭器熱交換管に排ガス中の水分が結露する。結露した水分は、低圧節炭器鉄分と反応し、入口配管に錆を発生させる。
【０００５】
そこで、排ガス中の水分が結露しないように、排熱回収ボイラ５００の低圧節炭器５０６（ＬＰＥＣＯ）で温められた温水は、給水ポンプ４２０で昇圧のうえ配管６０３によって給水へ供給される。このように、排ガスが結露しないようにすることについて、給水温度を制御する装置を開示する特許文献１や特許文献２が知られている。
【０００６】
特許文献１に開示された排熱回収交換器は、節炭器の入口配管に高温水を戻すための高温水戻弁を取付けると共に、ガスタービン側の運転状態から節炭器出口の排ガス結露温度を演算し、結露温度に対応して高温水戻弁開度を調整する。すなわち、排熱回収交換器は、大気温度、大気湿度、燃料流量及び燃料成分から燃焼による発生水分量を計算し、計算した発生水分量に蒸気噴霧噴量を加算して排ガス中の全水分量を求め、排ガス圧力から結露温度（露点温度）を計算し、この結露温度に温度余裕偏差を加算し給水温度設定としている。
【０００７】
特許文献２に開示された複圧式排熱ボイラ給水装置は、給水温度制御の温度設定を大気温度と給水温度との関係式により設定する。そして、複圧式排熱ボイラ給水装置は、大気湿度の変化に対する給水温度の補正を行う。このように複圧式排熱ボイラ給水装置は、給水温度の設定値を冬場に下げることにより、必要最大再循環量が低下し、ポンプの小型化（消費動力の軽減）が図られ、通常運転時に効率のよい（熱効率の向上）運用が可能となる装置である。
【先行技術文献】
【特許文献】
【０００８】
【特許文献１】特許第２５８８２７９号公報
【特許文献２】特許第３２２２０３５号公報
【発明の概要】
【発明が解決しようとする課題】
【０００９】
しかしながら、特許文献１に開示された排熱回収交換器は、露点温度を多くの要素から算出して推定しているので、現実の制御において、算出した露点温度に高い裕度（安全率）を設定する必要がある。また、特許文献１に開示された排熱回収交換器は、露点温度を算出するために多数の検出器を必要とし、給水温度制御回路も複雑である。
【００１０】
特許文献２に開示された複圧式排熱ボイラ給水装置は、排ガス圧力を測定しないで大気温度及び大気湿度から給水温度制御するので、現実の制御において、特許文献１に開示された発明と同様に、給水温度に高い裕度（安全率）を設定する必要がある。
【００１１】
そこで、排熱回収ボイラにおいて、排ガスが結露しないように給水温度を効率よく制御し、発電コストを削減できるような装置及び方法が求められている。
【００１２】
本発明は、排熱回収ボイラへの給水温度を効率よく制御し、発電コストを削減する給水制御装置及び方法を提供することを目的とする。
【課題を解決するための手段】
【００１３】
本発明では、以下のような解決手段を提供する。
【００１４】
（１）  ガスタービンから流入された排ガスを利用して蒸気を発生させる、節炭器を有する排熱回収ボイラにおいて、当該排熱回収ボイラに供給される給水の温度を制御する給水制御装置であって、前記排熱回収ボイラ内に配管されている給水管のうち前記排ガスが流出する出口付近の給水管の周囲に配置された圧力センサから、前記排ガスの圧力データを受信し、排ガス圧力を測定する排ガス圧力測定手段と、前記出口付近の給水管の周囲に配置された湿度センサから、前記排ガスの湿度データを受信し、排ガス湿度を測定する排ガス湿度測定手段と、前記節炭器に供給される給水管に給水温度調節弁によって戻された高温水が合流された後に配置された温度センサから、前記給水の温度データを受信し、給水温度を測定する給水温度測定手段と、前記排ガス圧力測定手段によって測定された前記排ガス圧力と、前記排ガス湿度測定手段によって測定された前記排ガス湿度とから前記排ガス中の水蒸気圧を算出する水蒸気圧算出手段と、前記水蒸気圧算出手段によって算出された前記水蒸気圧から露点温度を算出する露点温度算出手段と、前記露点温度算出手段によって算出された前記露点温度と、前記給水温度測定手段によって測定された前記給水温度との差を算出し、算出した差に基づいて前記給水温度調節弁の制御量を算出する制御量算出手段と、前記制御量算出手段によって算出された制御量に基づいて、前記給水温度調節弁の開度を制御する制御手段と、を備える給水制御装置。
【００１５】
（１）の構成によれば、本発明に係る給水制御装置は、排熱回収ボイラ内に配管されている給水管のうち排ガスが流出する出口付近の給水管の周囲に配置された圧力センサから、排ガスの圧力データを受信し、排ガス圧力を測定し、出口付近の給水管の周囲に配置された湿度センサから、排ガスの湿度データを受信し、排ガス湿度を測定する。次に、給水制御装置は、節炭器に供給される給水管に給水温度調節弁によって戻された高温水が合流された後に配置された温度センサから、給水の温度データを受信し、給水温度を測定する。そして、給水制御装置は、測定した排ガス圧力と、測定した排ガス湿度とから排ガス中の水蒸気圧を算出し、算出した水蒸気圧から露点温度を算出し、算出した露点温度と、測定した給水温度との差を算出し、算出した差に基づいて給水温度調節弁の制御量を算出し、算出した制御量に基づいて、給水温度調節弁の開度を制御する。
【００１６】
すなわち、本発明に係る給水制御装置は、排熱回収ボイラ内の給水管の周囲の水蒸気が結露しないように、給水管の周囲において測定した排ガス圧力と、排ガス湿度とから露点温度を算出し、排熱回収ボイラに供給される給水温度を調節する。したがって、本発明に係る給水制御装置は、排熱回収ボイラに供給される給水温度を効率よく制御することができる。その結果、本発明に係る給水制御装置は、給水温度を排ガスが結露しない温度にまで下げることができ、結露による低圧節炭器５０６（ＬＰＥＣＯ）の給水入口配管及び低圧節炭器熱交換管の錆の発生を防ぐので、発電コストを削減することができる。
【００１７】
（２）  前記排ガス圧力測定手段及び前記排ガス湿度測定手段は、複数の前記圧力センサ及び前記湿度センサによって送信された各々の排ガス圧力データ及び排ガス湿度データから前記給水温度調節弁の制御に用いる排ガス圧力及び排ガス湿度を算出する（１）に記載の給水制御装置。
【００１８】
（２）の構成によれば、給水制御装置は、複数の圧力センサ及び湿度センサによって送信された各々の排ガス圧力データ及び排ガス湿度データから給水温度調節弁の制御に用いる排ガス圧力及び排ガス湿度を算出する。したがって、（２）の給水制御装置は、排ガス圧力及び排ガス湿度を精度よく測定することができるので、排熱回収ボイラに供給される給水温度をさらに効率よく制御することができる。
【００１９】
（３）  ガスタービンから流入された排ガスを利用して蒸気を発生させる、節炭器を有する排熱回収ボイラにおいて、当該排熱回収ボイラに供給される給水の温度を制御する給水制御装置が実行する方法であって、前記排熱回収ボイラ内に配管されている給水管のうち前記排ガスが流出する出口付近の給水管の周囲に配置された圧力センサから、前記排ガスの圧力データを受信し、排ガス圧力を測定するステップと、前記出口付近の給水管の周囲に配置された湿度センサから、前記排ガスの湿度データを受信し、排ガス湿度を測定するステップと、前記節炭器に供給される給水管に給水温度調節弁によって戻された高温水が合流された後に配置された温度センサから、前記給水の温度データを受信し、給水温度を測定するステップと、測定された前記排ガス圧力と、測定された前記排ガス湿度とから前記排ガス中の水蒸気圧を算出するステップと、算出された前記水蒸気圧から露点温度を算出するステップと、算出された前記露点温度と、測定された前記給水温度との差を算出し、算出した差に基づいて前記給水温度調節弁の制御量を算出するステップと、算出された制御量に基づいて、前記給水温度調節弁の開度を制御するステップと、を備える方法。
【００２０】
したがって、本発明に係る方法は、排熱回収ボイラに供給される給水温度を効率よく制御することができる。その結果、本発明に係る方法は、給水温度を排ガスが結露しない温度にまで下げることができ、結露による低圧節炭器５０６（ＬＰＥＣＯ）の給水入口配管及び低圧節炭器熱交換管の錆の発生を防ぐので、発電コストを削減することができる。
【発明の効果】
【００２１】
本発明は、排熱回収ボイラの出口付近の給水管の周囲における排ガス圧力及び排ガス湿度を測定するので、排熱回収ボイラへの給水温度を効率よく制御することができる。したがって、本発明は、熱効率向上による燃料費低減や、消費動力の軽減を行うことができ、電力コストを低減し、燃料使用量の低減によるＣＯ２排出量を低減することができる。さらに、本発明は、材料の低温腐食を防止することができるので、電力設備に対する信頼性を向上させ、電力設備の運転の安全性を向上させることができる。
【図面の簡単な説明】
【００２２】
【図１】本発明の一実施形態に係る給水制御装置の概要を示す図である。
【図２】本発明の一実施形態に係る給水制御装置の機能を示す機能ブロック図である。
【図３】本発明の一実施形態に係る給水制御装置のハードウェア構成を示すブロック図である。
【図４】本発明の一実施形態に係る給水制御装置の処理内容を示すフローチャートである。
【図５】従来のコンバインド発電設備の概略系統図である。
【発明を実施するための形態】
【００２３】
以下、本発明の実施形態について図を参照しながら説明する。
【００２４】
図１は、本発明の一実施形態に係る給水制御装置１０の概要を示す図である。図１において、排熱回収ボイラ５００は、復水器４１８（図５参照）から給水管６０１によって低圧節炭器５０６（ＬＰＥＣＯ）に給水される。図１において、排ガスの圧力を測定するための排ガス圧力センサ３０１、及び排ガス湿度を測定するための排ガス湿度センサ３０２が、排熱回収ボイラ５００内に配管されている給水管のうち排ガスが流出する出口７０１付近の給水管７０２の周囲に配置されている。また、低圧節炭器５０６（ＬＰＥＣＯ）から高圧節炭器５０４（ＨＰＥＣＯ）へ高温水が供給され、その一部が配管６０３の給水温度調節弁３０４を介して給水管６０１に戻されている。そして、給水温度を測定する給水温度センサ３０３が、高温水が合流された後の配管６０２に設置されている。
【００２５】
図１において、給水制御装置１０は、排熱回収ボイラ５００の出口７０１付近の給水管７０２の周囲に配置された排ガス圧力センサ３０１及び排ガス湿度センサ３０２から排ガス圧力データ及び排ガス湿度データを受信する。次に、受信したデータから、乗算手段２０１、除算手段２０２及び信号発生器２０３は、排ガス中に含まれる水蒸気の分圧を算出する（排ガス圧力×排ガス湿度／１００を演算する）。次に、算出した水蒸気圧から、露点温度算出手段２０４は、露点温度を算出（圧力基準飽和蒸気表に基づいて算出）する。次に、算出した露点温度に、加算器２０５は、信号発生器２０６からの裕度（安全率）を加算する。次に、減算器２０７は、給水温度センサ３０３から受信した給水温度データと、裕度を加算した露点温度との差を算出する。そして、算出した差に基づいて制御器２０８は、給水温度調節弁３０４の開度を制御（例えば、ＰＩ制御）する。このようにして、給水制御装置１０は、排熱回収ボイラ５００内で排ガスが結露しないように、排ガス圧力及び排ガス湿度に基づいて給水温度を制御する。
【００２６】
図２は、本発明の一実施形態に係る給水制御装置１０の機能を示す機能ブロック図である。給水制御装置１０は、排ガス圧力測定手段としての排ガス圧力測定部１１と、排ガス湿度測定手段としての排ガス湿度測定部１２と、給水温度測定手段としての給水温度測定部１３と、水蒸気圧算出手段としての水蒸気圧算出部１４と、露点温度算出手段としての露点温度算出部１５と、制御量算出手段としての制御量算出部１６と、制御手段しての制御部１７とを備える。
【００２７】
排ガス圧力測定部１１は、排熱回収ボイラ５００内に配管されている給水管のうち排ガスが流出する出口７０１付近の給水管７０２の周囲に配置された排ガス圧力センサ３０１から、排ガスの圧力データを受信し、排ガス圧力を測定する。すなわち、排ガス圧力測定部１１は、最も結露しやすい給水管の周囲における排ガス圧力を測定する。排ガス圧力センサ３０１は、例えば、隔膜（ダイアフラム）に加わる圧力を膜の変形として検出するセンサであり、静電容量の変化による方式やひずみゲージを使う方式等の圧力センサを含む。
【００２８】
排ガス湿度測定部１２は、排熱回収ボイラ５００内に配管されている給水管のうち排ガスが流出する出口７０１付近の給水管７０２の周囲に配置された排ガス湿度センサ３０２から、排ガスの湿度データを受信し、排ガス湿度を測定する。すなわち、排ガス湿度測定部１２は、排ガス圧力を測定した箇所の排ガス湿度を測定する。排ガス湿度センサ３０２は、例えば、高分子抵抗式や高分子容量式等の湿度センサを含む。ここで、排ガスは、排ガス圧力センサ３０１や排ガス湿度センサ３０２等が腐食しないように、硫黄酸化物等を含まないことが好ましいが、例えば、排ガス圧力センサ３０１の膜に耐腐食性の材料を使用すれば、硫黄酸化物等を含んでいてもよい場合がある。
【００２９】
さらに、排ガス圧力測定部１１及び排ガス湿度測定部１２は、複数の排ガス圧力センサ３０１及び排ガス湿度センサ３０２によって送信された各々の排ガス圧力データ及び排ガス湿度データから給水温度調節弁３０４の制御に用いる排ガス圧力及び排ガス湿度を算出する。例えば、排ガス圧力測定部１１は、複数の排ガス圧力センサ３０１によって送信された各々の排ガス圧力データを平均し、給水温度調節弁３０４の制御に用いる排ガス圧力を算出する。同様に、排ガス湿度測定部１２は、複数の排ガス湿度センサ３０２によって送信された各々の排ガス圧力データから排ガス湿度を算出する。平均は、受信したデータの相加平均（算術平均）や、最大値及び最小値を除いた相加平均（算術平均）、配置したセンサの位置によって受信したデータの信頼度に重みを付した加重平均等であってよい。
【００３０】
給水温度測定部１３は、低圧節炭器５０６に供給される給水管６０１に給水温度調節弁３０４によって戻された高温水が合流された後に配置された給水温度センサ３０３から、給水の温度データを受信し、給水温度を測定する。例えば、給水管６０１は、低圧節炭器５０６に給水するように配管されている。その給水管６０１に、高温水を戻す量を調節し、給水の温度を調節する給水温度調節弁３０４を備えた配管６０３を連結させる。給水温度測定部１３は、連結させた箇所と排熱回収ボイラ５００との間の配管６０２の給水温度を測定する。
【００３１】
水蒸気圧算出部１４は、排ガス圧力測定部１１によって測定された排ガス圧力と、排ガス湿度測定部１２によって測定された排ガス湿度とから排ガス中の水蒸気圧を算出する。例えば、水蒸気圧算出部１４は、排ガス圧力に排ガス湿度を乗算し１００で除算（排ガス圧力×排ガス湿度／１００）して、排ガス中に含まれる水蒸気の分圧を算出する。
【００３２】
露点温度算出部１５は、水蒸気圧算出部１４によって算出された水蒸気圧から露点温度を算出する。ここで、露点温度は、排ガス中の水分の分圧に対応する水蒸気の飽和温度であり、排ガス中の一部の水蒸気が結露し始める温度である。例えば、排ガスが冷却され、排ガスの温度が、排ガス中の水分の分圧に対応する水蒸気の飽和温度よりも下がると、水蒸気の一部は凝縮し、結露する。露点温度算出部１５は、圧力と飽和温度とを予め対応付けた圧力基準飽和蒸気テーブル（例えば、圧力基準飽和蒸気表をデータ化したテーブル）に従って求めた値から補間法によって露点温度を算出する。さらに、露点温度算出部１５は、給水温度調節弁３０４の精度や、排ガス圧力センサ３０１及び排ガス湿度センサ３０２等の計器誤差等から算出される裕度（安全度）を、算出した露点温度に加算してもよい。なお、大気温度が高くなるに従って排ガス中の水分も多く含まれるので、露点温度算出部１５は、大気温度及び大気湿度等をも参照して算出した露点温度と、上述の露点温度とを比較して、差を裕度（安全度）として、上述の露点温度に加算してもよい。
【００３３】
制御量算出部１６は、露点温度算出部１５によって算出された露点温度と、給水温度測定部１３によって測定された給水温度との差を算出し、算出した差に基づいて給水温度調節弁３０４の制御量を算出する。例えば、制御量算出部１６は、露点温度と、給水温度との差に基づいてＰＩＤ制御を行うための比例成分（Ｐｒｏｐｏｒｔｉｏｎａｌ）と、積分成分（Ｉｎｔｅｇｒａｌ）と、微分成分（Ｄｅｒｉｖａｔｉｖｅ）とからなる、給水温度調節弁３０４の開度を制御するための制御量を算出する。制御量算出部１６が算出する制御量は、応答速度を考慮に入れる必要がない場合、比例成分（Ｐ）と、積分成分（Ｉ）とからなる制御量であってもよい。なお、制御量算出部１６は、ボイラ蒸気流量設定又は発電量設定等によって給水量の増減を算出し、算出した値を参照して、給水温度の制御量を補正するとしてもよい。
【００３４】
制御部１７は、制御量算出部１６によって算出された制御量に基づいて、給水温度調節弁３０４の開度を制御する。例えば、制御部１７は、算出された制御量によって給水温度調節弁３０４の開度を制御して、高温水の流量を制御することによって、給水温度を制御する。
【００３５】
図３は、本発明の一実施形態に係る給水制御装置１０のハードウェア構成を示すブロック図である。図３に示すように、給水制御装置１０は、ＣＰＵ（Ｃｅｎｔｒａｌ  Ｐｒｏｃｅｓｓｉｎｇ  Ｕｎｉｔ）２０１１、メモリ２０１２、操作部２０１３、表示部２０１４、補助記憶部２０１５及び機器Ｉ／Ｆ２０１６がバスライン２０５０により接続されて構成されている。
【００３６】
ＣＰＵ２０１１は、給水制御装置１０を統括的に制御する部分であり、メモリ２０１２に記憶された各種プログラムを適宜読み出して実行することにより、上述したハードウェアと協働し、本発明に係る各種機能を実現している。メモリ２０１２は、適宜読み出して実行されるプログラムを記憶し、プログラムの実行によって作成される種々の情報を記憶する。
【００３７】
操作部２０１３は、各種設定や入力操作を行う操作ボタン群、決定操作ボタン等を備えており、操作部２０１３による入力情報はＣＰＵ２０１１の制御下で処理される。すなわち、ユーザは、操作部２０１３を介して、必要な各種の設定操作、又は指定操作等が可能である。表示部２０１４は、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）によって構成され、各種情報を表示する。
【００３８】
補助記憶部２０１５は、フラッシュメモリ等により構成され、給水制御装置１０が機能するための各種プログラム及び本発明の機能を実行するプログラムを記憶している。さらに、補助記憶部２０１５は、圧力基準飽和蒸気テーブルを構成し、各種データを記憶している。
【００３９】
機器Ｉ／Ｆ２０１６は、給水制御装置１０と、排ガス圧力センサ３０１、排ガス湿度センサ３０２、給水温度センサ３０３及び給水温度調節弁３０４とを接続し、排ガス圧力センサ３０１、排ガス湿度センサ３０２及び給水温度センサ３０３からデータを受信し、給水温度調節弁３０４の開度を制御するためのデータを送信できるようにするためのインターフェースである。
【００４０】
図４は、本発明の一実施形態に係る給水制御装置１０の処理内容を示すフローチャートである。
【００４１】
ステップＳ１０１において、ＣＰＵ２０１１（排ガス圧力測定部１１）は、排ガス圧力を測定する。より具体的には、ＣＰＵ２０１１は、排熱回収ボイラ５００内に配管されている給水管のうち排ガスが流出する出口７０１付近の給水管７０２の周囲に配置された複数の排ガス圧力センサ３０１から排ガス圧力データを受信し、受信した複数の排ガス圧力データを平均する。その後、ＣＰＵ２０１１は、処理をステップＳ１０２に移す。
【００４２】
ステップＳ１０２において、ＣＰＵ２０１１（排ガス湿度測定部１２）は、排ガス湿度を測定する。より具体的には、ＣＰＵ２０１１は、排ガス圧力センサ３０１と同様に給水管７０２の周囲に配置された複数の排ガス湿度センサ３０２から排ガス湿度データを受信し、受信した複数の排ガス湿度データを平均する。その後、ＣＰＵ２０１１は、処理をステップＳ１０３に移す。
【００４３】
ステップＳ１０３において、ＣＰＵ２０１１（給水温度測定部１３）は、給水温度を測定する。より具体的には、ＣＰＵ２０１１は、低圧節炭器５０６に供給される給水管６０１に給水温度調節弁３０４によって戻された高温水が合流された後に配置された給水温度センサ３０３から、給水温度データを受信する。その後、ＣＰＵ２０１１は、処理をステップＳ１０４に移す。
【００４４】
ステップＳ１０４において、ＣＰＵ２０１１（水蒸気圧算出部１４）は、排ガス中の水蒸気圧を算出する。より具体的には、ＣＰＵ２０１１は、ステップＳ１０１において測定した排ガス圧力に、ステップＳ１０２において測定した排ガス湿度を乗算し１００で除算（排ガス圧力×排ガス湿度／１００）して、排ガス中に含まれる水蒸気の分圧を算出する。その後、ＣＰＵ２０１１は、処理をステップＳ１０５に移す。
【００４５】
ステップＳ１０５において、ＣＰＵ２０１１（露点温度算出部１５）は、露点温度を算出する。より具体的には、ＣＰＵ２０１１は、ステップＳ１０４において算出した水蒸気圧から、圧力基準飽和蒸気テーブルと補間法とによって露点温度を算出する。さらに、ＣＰＵ２０１１は、計器誤差等から算出される裕度（例えば、２．６６度）を、算出した露点温度に加算する。その後、ＣＰＵ２０１１は、処理をステップＳ１０６に移す。
【００４６】
ステップＳ１０６において、ＣＰＵ２０１１（制御量算出部１６）は、給水温度調節弁３０４の制御量を算出する。より具体的には、ＣＰＵ２０１１は、ステップＳ１０５において算出した露点温度と、ステップＳ１０３において測定した給水温度との差を算出し、算出した差に基づいて給水温度調節弁３０４の開度を制御するＰＩＤ値を算出する。その後、ＣＰＵ２０１１は、処理をステップＳ１０７に移す。
【００４７】
ステップＳ１０７において、ＣＰＵ２０１１（制御部１７）は、給水温度調節弁３０４の開度を制御する。より具体的には、ＣＰＵ２０１１は、ステップＳ１０６において算出したＰＩＤ値を給水温度調節弁３０４の開度を制御するために出力する。その後、ＣＰＵ２０１１は、一定時間（例えば、１０秒）後に、処理をステップＳ１０１に移す。
【００４８】
本実施形態によれば、給水制御装置１０は、排熱回収ボイラ５００内に配管されている給水管のうち排ガスが流出する出口７０１付近の給水管７０２の周囲に配置された排ガス圧力センサ３０１によって、排ガス圧力を測定し、出口７０１付近の給水管７０２の周囲に配置された排ガス湿度センサ３０２によって、排ガス湿度を測定する。次に、給水制御装置１０は、低圧節炭器５０６に供給される給水管６０１に給水温度調節弁３０４によって戻された高温水が合流された後に配置された給水温度センサ３０３によって、給水温度を測定する。そして、給水制御装置１０は、測定した排ガス圧力と、測定した排ガス湿度とから排ガス中の水蒸気圧を算出し、算出した水蒸気圧から露点温度を算出し、算出した露点温度と、測定した給水温度との差に基づいて給水温度調節弁３０４の制御量を算出し、算出した制御量に基づいて、給水温度調節弁３０４の開度を制御する。したがって、給水制御装置１０は、排熱回収ボイラ５００に供給される給水温度を効率よく制御することができる。その結果、給水制御装置１０は、給水温度を排ガスが結露しない温度にまで下げることができ、結露による低圧節炭器５０６（ＬＰＥＣＯ）の給水入口配管及び低圧節炭器熱交換管の錆の発生を防ぐので、発電コストを削減することができる。
【００４９】
さらに、給水制御装置１０は、複数の排ガス圧力センサ３０１及び排ガス湿度センサ３０２によって測定された各々の排ガス圧力データ及び排ガス湿度データから給水温度調節弁３０４の制御に用いる排ガス圧力データ及び排ガス湿度データを算出する。したがって、給水制御装置１０は、排ガス圧力及び排ガス湿度を精度よく測定することができるので、排熱回収ボイラ５００に供給される給水温度をさらに効率よく制御することができる。
【００５０】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５１】
１０    給水制御装置
１１    排ガス圧力測定部
１２    排ガス湿度測定部
１３    給水温度測定部
１４    水蒸気圧算出部
１５    露点温度算出部
１６    制御量算出部
１７    制御部
３０１  排ガス圧力センサ
３０２  排ガス湿度センサ
３０３  給水温度センサ
３０４  給水温度調節弁
５００  排熱回収ボイラ
【図１】
2011237151.tif 000003
【図２】
2011237151.tif 000004
【図３】
2011237151.tif 000005
【図４】
2011237151.tif 000006
【図５】
2011237151.tif 000007